【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
記録ヘッドを搭載可能とし、一端部にキャリッジガイド軸が相対的に摺動自在に挿通され、他端部が、上記キャリッジガイド軸と平行に延在する支持部材に接触して支持可能に設けられた記録装置のキャリッジにおいて、
上記他端部には、上記支持部材に接触可能な複数の突起部が形成され、
上記複数の突起部が、上記キャリッジガイド軸の軸方向に沿って傾斜するテーパを有することを特徴とする記録装置のキャリッジ。
【請求項２】
上記複数の突起部は、キャリッジガイド軸と支持部材とを横切る方向に傾斜するテーパを有することを特徴とする請求項１に記載の記録装置のキャリッジ。
【請求項３】
上記複数の突起部のうち、中央の突起部は、当該突起部の両側に隣接する突起部よりも低く形成されていることを特徴とする請求項１または２に記載の記録装置のキャリッジ。
【請求項４】
多数の記録ワイヤを備えた記録ヘッドがキャリッジに搭載され、このキャリッジは、一端部にキャリッジガイド軸が相対的に摺動自在に挿通され、他端部が、上記キャリッジガイド軸と平行に延在する支持部材に接触して支持され、上記キャリッジガイド軸の軸方向に配置されたプラテンに沿って走行可能に設けられた記録装置において、
上記キャリッジの上記他端部には、上記支持部材に接触する複数の突起部が形成され、
上記複数の突起部が、上記キャリッジガイド軸の軸方向に沿って傾斜するテーパを有することを特徴とする記録装置。
【請求項５】
上記キャリッジの上記複数の突起部は、キャリッジガイド軸と支持部材とを横切る方向に傾斜するテーパを有することを特徴とする請求項４に記載の記録装置。
【請求項６】
上記キャリッジの上記複数の突起部のうち、中央の突起部は、当該突起部の両側に隣接する突起部よりも低く形成されていることを特徴とする請求項４または５に記載の記録装置。
【手続補正２】
【補正対象書類名】明細書
【補正対象項目名】０００６
【補正方法】変更
【補正の内容】
【０００６】
【課題を解決するための手段】
請求項１に記載の発明は、記録ヘッドを搭載可能とし、一端部にキャリッジガイド軸が相対的に摺動自在に挿通され、他端部が、上記キャリッジガイド軸と平行に延在する支持部材に接触して支持可能に設けられた記録装置のキャリッジにおいて、上記他端部には、上記支持部材に接触可能な複数の突起部が形成され、上記複数の突起部が、上記キャリッジガイド軸の軸方向に沿って傾斜するテーパを有することを特徴とするものである。


【手続補正３】
【補正対象書類名】明細書
【補正対象項目名】０００７
【補正方法】変更
【補正の内容】
【０００７】
請求項２に記載の発明は、請求項１に記載の発明において、上記複数の突起部は、キャリッジガイド軸と支持部材とを横切る方向に傾斜するテーパを有することを特徴とするものである。


【手続補正４】
【補正対象書類名】明細書
【補正対象項目名】０００８
【補正方法】変更
【補正の内容】
【０００８】
請求項３に記載の発明は、請求項１または２に記載の発明において、上記複数の突起部のうち、中央の突起部は、当該突起部の両側に隣接する突起部よりも低く形成されていることを特徴とするものである。


【手続補正５】
【補正対象書類名】明細書
【補正対象項目名】０００９
【補正方法】変更
【補正の内容】
【０００９】
請求項４に記載の発明は、多数の記録ワイヤを備えた記録ヘッドがキャリッジに搭載され、このキャリッジは、一端部にキャリッジガイド軸が相対的に摺動自在に挿通され、他端部が、上記キャリッジガイド軸と平行に延在する支持部材に接触して支持され、上記キャリッジガイド軸の軸方向に配置されたプラテンに沿って走行可能に設けられた記録装置において、上記キャリッジの上記他端部には、上記支持部材に接触する複数の突起部が形成され、上記複数の突起部が、上記キャリッジガイド軸の軸方向に沿って傾斜するテーパを有することを特徴とするものである。


【手続補正６】
【補正対象書類名】明細書
【補正対象項目名】００１０
【補正方法】変更
【補正の内容】
【００１０】
請求項５に記載の発明は、請求項４に記載の発明において、上記キャリッジの上記複数の突起部は、キャリッジガイド軸と支持部材とを横切る方向に傾斜するテーパを有することを特徴とするものである。


【手続補正７】
【補正対象書類名】明細書
【補正対象項目名】００１１
【補正方法】変更
【補正の内容】
【００１１】
請求項６に記載の発明は、請求項４または５に記載の発明において、上記キャリッジの上記複数の突起部のうち、中央の突起部は、当該突起部の両側に隣接する突起部よりも低く形成されていることを特徴とするものである。


【手続補正８】
【補正対象書類名】明細書
【補正対象項目名】００１２
【補正方法】変更
【補正の内容】
【００１２】
請求項１乃至６に記載の発明には、次の作用がある。


【手続補正９】
【補正対象書類名】明細書
【補正対象項目名】００１３
【補正方法】変更
【補正の内容】
【００１３】
キャリッジの他端部には、キャリッジガイド軸と平行に延在する支持部材に接触可能な突起部が形成され、この突起部が、キャリッジガイド軸の軸方向に沿って傾斜するテーパを有することから、当該キャリッジがキャリッジガイド軸に沿って走行し、このキャリッジの他端部における突起部が支持部材に接触して摩耗するとき、この突起部が支持部材に接触する接触面の接触面積が漸次増大し、従って、この突起部の上記接触面に、支持部材から作用する圧力が漸次減少する。この結果、突起部の上記接触面に作用する圧力とキャリッジ速度との積に比例する突起部の摩耗量が徐々に抑制されることになるので、記録ヘッドとこの記録ヘッドの前方に位置するプラテンとの間のプラテンギャップを適正に確保できる。また、突起部がキャリッジの他端部に複数個設置されることにより、これらの突起部が支持部材に接触する接触面の接触面積が増大して、これらの突起部の接触面に支持部材から作用する圧力が減少するので、これらの突起部の摩耗量を抑制できる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００５８
【補正方法】変更
【補正の内容】
【００５８】
【発明の効果】
本発明に係る記録装置のキャリッジによれば、記録ヘッドを搭載可能とし、一端部にキャリッジガイド軸が相対的に摺動自在に挿通され、他端部が、上記キャリッジガイド軸と平行に延在する支持部材に接触して支持可能に設けられた記録装置のキャリッジにおいて、上記他端部には、上記支持部材に接触可能な突起部が形成され、この突起部が、上記キャリッジガイド軸の軸方向に沿って傾斜するテーパを有することから、キャリッジの支持部材による摩耗量を低減して、記録ヘッドとキャリッジとの間のプラテンギャップを適正に確保できる。


【手続補正１５】
【補正対象書類名】明細書
【補正対象項目名】００５９
【補正方法】変更
【補正の内容】
【００５９】
また、本発明に係る記録装置によれば、多数の記録ワイヤを備えた記録ヘッドがキャリッジに搭載され、このキャリッジは、一端部にキャリッジガイド軸が相対的に摺動自在に挿通され、他端部が、上記キャリッジガイド軸と平行に延在する支持部材に接触して支持され、上記キャリッジガイド軸の軸方向に配置されたプラテンに沿って走行可能に設けられた記録装置において、上記キャリッジの上記他端部には、上記支持部材に接触する突起部が形成され、この突起部が、上記キャリッジガイド軸の軸方向に沿って傾斜するテーパを有することから、キャリッジの支持部材による摩耗量を低減して、記録ヘッドとプラテンとの間のプラテンギャップを適正に確保できる。